(57)【要約】【課題】イベントリレーに対応した番組表示装置において、良好な操作性を実現する。【解決手段】ユーザが視聴している第１チャンネルにおいて放送される第１番組を、第１チャンネルでの放送終了後に第１チャンネルとは異なる第２チャンネルにおいて表示可能な番組表示装置１０であって、第１番組のユーザによる視聴時間を累計した累計視聴時間を算出する累計視聴時間算出部１２と、累計視聴時間算出部１２が算出した累計視聴時間が第１閾値以上であることを示す第１条件を満たすか否かを判断する条件判断部１３と、第１条件を満たす場合には、第１チャンネルにおける第１番組の放送終了後に第２チャンネルにおいて放送される第１番組に係る番組データである第１番組データを表示し、第１条件を満たさない場合には、第１チャンネルにおいて第１番組の放送終了後に放送される第２番組に係る番組データである第２番組データを表示する表示制御部１４とを備える。【選択図】図２
2014204228.tif 000002
【特許請求の範囲】
【請求項１】
ユーザが視聴している第１チャンネルにおいて放送される第１番組を、前記第１チャンネルでの放送終了後に前記第１チャンネルとは異なる第２チャンネルにおいて表示可能な番組表示装置であって、
前記第１番組の前記ユーザによる視聴時間を累計した累計視聴時間を算出する累計視聴時間算出部と、
前記累計視聴時間算出部が算出した前記累計視聴時間が第１閾値以上であることを示す第１条件を満たすか否かを判断する条件判断部と、
前記第１条件を満たす場合には、前記第１チャンネルにおける前記第１番組の放送終了後に前記第２チャンネルにおいて放送される前記第１番組に係る番組データである第１番組データを表示し、前記第１条件を満たさない場合には、前記第１チャンネルにおいて前記第１番組の放送終了後に放送される第２番組に係る番組データである第２番組データを表示する表示制御部と
を備える番組表示装置。
【請求項２】
前記累計視聴時間算出部は、前記第１チャンネルにおける前記第１番組の放送終了時刻に近いほどより大きい重みで前記視聴時間を重み付けし、重み付けした前記視聴時間の累計を前記累計視聴時間として算出する
請求項１に記載の番組表示装置。
【請求項３】
さらに、
前記第１チャンネルにおける前記第１番組の放送終了時刻の所定時間前から前記第１番組の放送終了時刻までの時間である終了直前時間における、前記第１番組の盛り上がりの度合いを示す盛況度を算出する盛況度算出部を備え、
前記条件判断部は、さらに、前記盛況度算出部が算出した前記盛況度が第２閾値以上であることを示す第２条件を満たすか否かを判断し、
前記表示制御部は、前記第１条件及び前記第２条件を満たす場合には、前記第２チャンネルにおいて前記第１番組データを表示し、前記第１条件及び前記第２条件のいずれかを満たさない場合には、前記第１チャンネルにおいて前記第２番組データを表示する
請求項１又は２に記載の番組表示装置。
【請求項４】
前記盛況度算出部は、前記終了直前時間における前記第１番組データに含まれる音声データの音量が大きいほどより大きな前記盛況度を算出する
請求項３に記載の番組表示装置。
【請求項５】
さらに、
前記ユーザの番組の嗜好性を示す嗜好データに基づいて、前記第１番組及び前記第２番組の前記ユーザの嗜好性を判断する嗜好判断部を備え、
前記表示制御部は、前記第１条件を満たす場合には、前記嗜好判断部の判断結果に基づいて前記第１番組及び前記第２番組のうち前記ユーザの嗜好性が高い番組を選択し、前記第１番組が選択された場合には、前記第２チャンネルにおいて前記第１番組データを表示し、前記第２番組が選択された場合には、前記第１チャンネルにおいて前記第２番組データを表示する
請求項１又は２に記載の番組表示装置。
【請求項６】
前記嗜好データは、前記ユーザにより予め登録された、番組のジャンル毎の優先度を示すデータを含み、
前記表示制御部は、前記嗜好データに基づいて、前記第１番組及び前記第２番組のうち優先度が相対的に高いジャンルの番組を前記ユーザの嗜好性が高い番組として選択する
請求項５に記載の番組表示装置。
【請求項７】
さらに、
ジャンルごとに、当該ジャンルの番組の前記ユーザによる累計視聴時間を算出し、累計視聴時間が大きいジャンルほどより優先度が高い前記嗜好データを生成する嗜好データ生成部を備える
請求項６に記載の番組表示装置。
【請求項８】
ユーザが視聴している第１チャンネルにおいて放送される第１番組を、前記第１チャンネルでの放送終了後に前記第１チャンネルとは異なる第２チャンネルにおいて表示可能な番組表示装置による番組表示方法であって、
前記第１番組の前記ユーザによる視聴時間を累計した累計視聴時間を算出するステップと、
前記累計視聴時間が第１閾値以上であることを示す第１条件を満たすか否かを判断するステップと、
前記第１条件を満たす場合には、前記第１チャンネルにおける前記第１番組の放送終了後に前記第２チャンネルにおいて放送される前記第１番組に係る番組データである第１番組データを表示し、前記第１条件を満たさない場合には、前記第１チャンネルにおいて前記第１番組の放送終了後に放送される第２番組に係る番組データである第２番組データを表示するステップと
を含む番組表示方法。
【発明の詳細な説明】
【技術分野】
【０００１】
本発明は、放送波に含まれる番組データを表示する番組表示装置及び番組表示方法に関し、特に、番組がイベントリレーされた際に、イベントリレー後の番組に係る番組データを自動的に表示する番組表示装置、及び当該番組表示装置による番組表示方法に関する。
【背景技術】
【０００２】
従来、第１チャンネルで放送中の第１番組の放送時間が延長された場合などに、第１チャンネルとは異なる第２チャンネルにおいて第１番組の放送が継続されるイベントリレーと呼ばれるサービスが、各放送局により行われている（例えば、特許文献１参照）。このようなイベントリレーは、野球の生中継など、イベントの終了時間が予測できない番組でよく行われる。
【０００３】
イベントリレーに対応したテレビなどの番組表示装置では、イベントリレー時にチャンネルが自動変更されることを許可する設定をユーザが予め行うことにより、第１チャンネルでの放送終了後に自動的に第２チャンネルに切り替えられ、第１チャンネルで放送されていたのと同じ第１番組に係る番組データが引き続き表示される。
【先行技術文献】
【特許文献】
【０００４】
【特許文献１】特開２００２−１７６５９３号公報
【発明の概要】
【発明が解決しようとする課題】
【０００５】
しかしながら、従来の番組表示装置では、番組を視聴するユーザの意図に反してチャンネルが切り替えられる場合がある。例えば、ユーザが、第１チャンネルで第１番組の放送終了後に放送される第２番組を視聴しようとして、第１番組の放送終了直前に他のチャンネルから第１チャンネルにチャンネルを切り替えたとする。このような場合に、第１番組の放送時間が延長されて第１番組がイベントリレーされた場合には、第１チャンネルでの第１番組の放送終了後に、チャンネルが第２チャンネルに自動的に切り替えられてしまう。このため、ユーザは、第２番組を視聴するために、再度、第１チャンネルにチャンネルを切り替えなければならず、チャンネルを変更する手間が生じ、操作性が悪いという課題がある。
【０００６】
本発明は上述の課題を解決するためになされたものであり、イベントリレーに対応した番組表示装置において、良好な操作性を実現することを目的とする。
【課題を解決するための手段】
【０００７】
上記目的を達成するために、本発明の一態様に係る番組表示装置は、ユーザが視聴している第１チャンネルにおいて放送される第１番組を、前記第１チャンネルでの放送終了後に前記第１チャンネルとは異なる第２チャンネルにおいて表示可能な番組表示装置であって、前記第１番組の前記ユーザによる視聴時間を累計した累計視聴時間を算出する累計視聴時間算出部と、前記累計視聴時間算出部が算出した前記累計視聴時間が第１閾値以上であることを示す第１条件を満たすか否かを判断する条件判断部と、前記第１条件を満たす場合には、前記第１チャンネルにおける前記第１番組の放送終了後に前記第２チャンネルにおいて放送される前記第１番組に係る番組データである第１番組データを表示し、前記第１条件を満たさない場合には、前記第１チャンネルにおいて前記第１番組の放送終了後に放送される第２番組に係る番組データである第２番組データを表示する表示制御部とを備える。
【０００８】
この構成によると、イベントリレーの対象の番組である第１チャンネルにおける第１番組の累計視聴時間が第１閾値以上である場合にのみ、イベントリレーされた第１番組に係る第１番組データが表示される。つまり、第１チャンネルでの第１番組の放送終了後に、第２チャンネルにおいて放送される第１番組に係る第１番組データが表示される。よって、第１チャンネルの第１番組の終了直前にユーザが第１チャンネルにチャンネルを切り替えたような場合に、ユーザの意図に反して、第２チャンネルにチャンネルが切り替えられてしまうのを防ぐことができる。よって、イベントリレーに対応した番組表示装置において、良好な操作性を実現することができる。
【０００９】
例えば、前記累計視聴時間算出部は、前記第１チャンネルにおける前記第１番組の放送終了時刻に近いほどより大きい重みで前記視聴時間を重み付けし、重み付けした前記視聴時間の累計を前記累計視聴時間として算出しても良い。
【００１０】
この構成によると、ユーザが第１番組を同じ時間視聴していたとしても、放送時間の前半よりも後半に第１番組を視聴していたユーザの方が、累計視聴時間が長くなる。よって、前半に第１番組を長時間視聴していたが、途中で第１番組の視聴を止め、再度、第２番組を視聴するために、ユーザが第１チャンネルにチャンネルを切り替えたような場合に、ユーザの意図に反して、第２チャンネルにチャンネルが切り替えられてしまうのを防ぐことができる。
【００１１】
また、上述の番組表示装置は、さらに、前記第１チャンネルにおける前記第１番組の放送終了時刻の所定時間前から前記第１番組の放送終了時刻までの時間である終了直前時間における、前記第１番組の盛り上がりの度合いを示す盛況度を算出する盛況度算出部を備え、前記条件判断部は、さらに、前記盛況度算出部が算出した前記盛況度が第２閾値以上であることを示す第２条件を満たすか否かを判断し、前記表示制御部は、前記第１条件及び前記第２条件を満たす場合には、前記第２チャンネルにおいて前記第１番組データを表示し、前記第１条件及び前記第２条件のいずれかを満たさない場合には、前記第１チャンネルにおいて前記第２番組データを表示しても良い。
【００１２】
野球中継番組などでは、例えば、９回など試合のクライマックス時にイベントリレーされる場合がある。このような試合の盛り上がり時、つまり第１番組の盛り上がり時には、ユーザは、第１チャンネルでの第１番組の放送終了後に続きを視聴する傾向が強いと考えられる。これに反し、第１番組が盛り上がっていない場合には、ユーザは続きを視聴しない傾向が強いと考えられる。このため、上述の第２条件を満たすか否かにより、第２チャンネルの第１番組データを表示するか否かを判断することで、ユーザの意図に反して、第２チャンネルにチャンネルが切り替えられてしまうのを防ぐことができる。
【００１３】
具体的には、前記盛況度算出部は、前記終了直前時間における前記第１番組データに含まれる音声データの音量が大きいほどより大きな前記盛況度を算出しても良い。
【００１４】
スポーツ中継番組などでは、試合が盛り上がっている場合には、観客の声援が大きいと考えられる。観客の声援が大きいと、番組データに含まれる音声データの音量が大きくなる。このため、上述の手法で盛況度を算出することにより、番組の盛り上がりを正しく判断することができる。
【００１５】
また、上述の番組表示装置は、さらに、前記ユーザの番組の嗜好性を示す嗜好データに基づいて、前記第１番組及び前記第２番組の前記ユーザの嗜好性を判断する嗜好判断部を備え、前記表示制御部は、前記第１条件を満たす場合には、前記嗜好判断部の判断結果に基づいて前記第１番組及び前記第２番組のうち前記ユーザの嗜好性が高い番組を選択し、前記第１番組が選択された場合には、前記第２チャンネルにおいて前記第１番組データを表示し、前記第２番組が選択された場合には、前記第１チャンネルにおいて前記第２番組データを表示しても良い。
【００１６】
ユーザが、第１チャンネルにおいて第１番組を長時間視聴していたとしても、第１チャンネルにおいて第１番組の終了後に放送される第２番組の方が、第１番組よりもユーザの嗜好性が高い場合には、ユーザは、イベントリレーされた番組の視聴を望まないと考えられる。このため、ユーザの番組に対する嗜好性に基づいてイベントリレーされた番組に係る番組データを表示するか否かを判断することで、ユーザの意図に反して、第２チャンネルにチャンネルが切り替えられてしまうのを防ぐことができる。
【００１７】
具体的には、前記嗜好データは、前記ユーザにより予め登録された、番組のジャンル毎の優先度を示すデータを含み、前記表示制御部は、前記嗜好データに基づいて、前記第１番組及び前記第２番組のうち優先度が相対的に高いジャンルの番組を前記ユーザの嗜好性が高い番組として選択しても良い。
【００１８】
番組データは、ジャンル情報を付属情報として含んでいる。このため、番組のジャンルの優先度を嗜好データとして用いることで、容易に番組に対するユーザの嗜好性を判断することができ、ユーザの嗜好性に合致した番組を選択することができる。
【００１９】
また、上述の番組表示装置は、さらに、ジャンルごとに、当該ジャンルの番組の前記ユーザによる累計視聴時間を算出し、累計視聴時間が大きいジャンルほどより優先度が高い前記嗜好データを生成する嗜好データ生成部を備えていても良い。
【００２０】
この構成によると、過去にユーザが良く視聴している番組のジャンルほど優先度が高くなるように嗜好データが生成される。このため、ユーザがジャンルの優先度を登録しなくても、過去のユーザの番組視聴履歴に応じて、ユーザの嗜好性に合致した番組を選択することができる。
【００２１】
なお、本発明は、このような特徴的な処理部を備える番組表示装置として実現することができるだけでなく、番組表示装置に含まれる特徴的な処理部が実行する処理をステップとする番組表示方法として実現することができる。また、番組表示装置に含まれる特徴的な処理部としてコンピュータを機能させるためのプログラムまたは番組表示方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２２】
本発明によると、イベントリレーに対応した番組表示装置において、良好な操作性を実現することができる。
【図面の簡単な説明】
【００２３】
【図１】実施の形態１に係る番組表示装置の外観図である。
【図２】実施の形態１に係る番組表示装置の機能的な構成を示すブロック図である。
【図３】実施の形態１に係る番組表示装置が実行する処理のフローチャートである。
【図４】第１チャンネル及び第２チャンネルにおいて放送される番組の一例を示す図である。
【図５】実施の形態１の変形例に係る累計視聴時間の算出方法について説明するための図である。
【図６】実施の形態２に係る番組表示装置の機能的な構成を示すブロック図である。
【図７】実施の形態２に係る番組表示装置が実行する処理のフローチャートである。
【図８】第１番組データに含まれる音声データの音量の時間的な推移の一例を示すグラフである。
【発明を実施するための形態】
【００２４】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２５】
（実施の形態１）
＜構成＞
図１は、実施の形態１に係る番組表示装置の外観図である。番組表示装置１０は、例えば、放送局から送信される放送波を受信して、受信した放送波に含まれる番組データを表示するテレビジョン受像機などである。
【００２６】
図２は、番組表示装置１０の機能的な構成を示すブロック図である。
【００２７】
番組表示装置１０は、ユーザが視聴している番組の放送時間が延長され、その番組が他のチャンネルにイベントリレーされた際に、イベントリレー後の番組に係る番組データを自動的に表示する。つまり、番組表示装置１０は、ユーザが視聴している第１チャンネルにおいて放送される第１番組を、第１チャンネルでの放送終了後に第１チャンネルとは異なる第２チャンネルにおいて表示することができる。これにより、ユーザは、第１番組がイベントリレーされた場合であっても、ユーザによるチャンネルの切り替えを行うことなく、第１番組を視聴し続けることができる。番組をイベントリレーするか否かは、番組ごと又は番組のジャンルごとにユーザが設定しても良い。また、ユーザが一括して全ての番組に対してイベントリレーをするか否かを設定しても良い。
【００２８】
番組表示装置１０は、放送波受信部１１と、累計視聴時間算出部１２と、条件判断部１３と、表示制御部１４と、表示部１５と、音声出力部１６とを備える。
【００２９】
放送波受信部１１は、チューナを含み、放送局から送信される放送波を受信する。放送波には、番組に係る番組データが含まれる。番組データとは、映像及び音声を符号化したデータである。なお、番組データには、番組が属するジャンルを示すジャンル情報が含まれていても良い。
【００３０】
累計視聴時間算出部１２は、第１チャンネルで放送される第１番組のユーザによる視聴時間を累計した累計視聴時間を算出する。
【００３１】
条件判断部１３は、累計視聴時間算出部１２が算出した第１番組の累計視聴時間が第１閾値以上であることを示す第１条件を満たすか否かを判断する。
【００３２】
表示制御部１４は、第１条件を満たす場合には、第１チャンネルにおける第１番組の放送終了後に第２チャンネルにおいて放送される第１番組に係る番組データである第１番組データを表示する。また、表示制御部１４は、第１条件を満たさない場合には、第１チャンネルにおいて第１番組の放送終了後に放送される第２番組に係る番組データである第２番組データを表示する。ここで、番組データの表示とは、番組データを復号化することにより、番組データに含まれる映像及び音声のデータを復元し、表示部１５及び音声出力部１６に映像及び音声をそれぞれ表示及び出力させることである。
【００３３】
表示部１５は、例えば、ディスプレイ装置などにより構成され、表示制御部１４で番組データを表示することにより復元される映像を表示する。
【００３４】
音声出力部１６は、例えば、スピーカなどにより構成され、表示制御部１４で番組データを表示することにより復元される音声を出力する。
【００３５】
＜処理説明＞
次に、図１及び図２に示す番組表示装置１０が実行する処理について、具体例を挙げながら説明する。
【００３６】
図３は、番組表示装置１０が実行する処理のフローチャートである。図４は、第１チャンネル及び第２チャンネルにおいて放送される番組の一例を示す図である。
【００３７】
図４に示すように、第１チャンネル（２０１チャンネル）において、１９時から２１時までの間、第１番組（番組名：「プロ野球中継Ｈ球団ｖｓＧ球団」、ジャンル：スポーツ）が放送され、２１時から第２番組（番組名：「２１時のニュース」、ジャンル：ニュース）が放送されるものとする。また、第２チャンネル（３０１チャンネル）において、１９時から２１時までの間、番組「ドラマ１９」（ジャンル：ドラマ）が放送され、２１時から、第１チャンネルで放送されていた第１番組がイベントリレーされ、放送されるものとする。また、ユーザは、現在、第１チャンネルの第１番組を視聴しているものとする。
【００３８】
図３を参照して、累計視聴時間算出部１２は、ユーザが視聴している番組の視聴時間を累計する（Ｓ１）。つまり、累計視聴時間算出部１２は、第１チャンネルの第１番組が表示制御部１４により表示されている時間を累計したものを、累計視聴時間として算出する。
【００３９】
累計視聴時間算出部１２は、視聴時間の累計を第１チャンネルの第１番組が終了するまで繰り返し行う（Ｓ２でＮＯ、Ｓ１）。
【００４０】
第１チャンネルにおける第１番組の放送が終了した時点で（Ｓ２でＹＥＳ）、条件判断部１３は、第１チャンネルにおける第１番組の累計視聴時間が第１閾値以上であるか否かを判断する（Ｓ３）。なお、第１閾値は、一定値であっても良いし、番組の放送時間長に応じて算出されても良い。後者の場合には、番組の放送時間長に予め定められた係数を掛け合わせることにより第１閾値を算出しても良い。例えば、予め定められた係数を０．５とした場合には、第１閾値は、１２０分×０．５＝６０分と算出される。
【００４１】
第１チャンネルの第１番組の累計視聴時間が第１閾値以上であると判断された場合には（Ｓ３でＹＥＳ）、表示制御部１４は、放送波受信部１１が受信する放送波のチャンネルを第１チャンネルから第２チャンネルに切り替え、第２チャンネルで放送される第１番組に係る第１番組データを表示する（Ｓ４）。これにより、ユーザは、イベントリレーされた第１番組を、引き続き第２チャンネルにおいて視聴することができる。なお、第２チャンネルで放送される第２番組の放送データには、第１チャンネルからイベントリレーされた番組であることを示す情報が付属情報として含まれている。このため、表示制御部１４は、この付属情報に基づいて、第２チャンネルで放送される第１番組がイベントリレーされた番組であることを知ることができる。
【００４２】
これに対し、第１チャンネルの第１番組の累計視聴時間が第１閾値未満であると判断された場合には（Ｓ３でＮＯ）、表示制御部１４は、放送波受信部１１が受信する放送波のチャンネルを切り替えることなく、第１チャンネルで放送される第２番組に係る第２番組データを表示する（Ｓ５）。
【００４３】
＜効果＞
以上説明したように、実施の形態１に係る番組表示装置１０によると、イベントリレーの対象の番組である第１チャンネルにおける第１番組の累計視聴時間が第１閾値以上である場合にのみ、イベントリレーされた第１番組に係る第１番組データが表示される。つまり、第１チャンネルでの第１番組の放送終了後に、第２チャンネルにおいて放送される第１番組に係る第１番組データが表示される。よって、第１チャンネルの第１番組の終了直前にユーザが第１チャンネルにチャンネルを切り替えたような場合に、ユーザの意図に反して、第２チャンネルにチャンネルが切り替えられてしまうのを防ぐことができる。よって、イベントリレーに対応した番組表示装置において、良好な操作性を実現することができる。
【００４４】
（実施の形態１の変形例）
実施の形態１に係る累計視聴時間は、単純に視聴時間を累計することにより算出される。本変形例では、視聴時間に重み付けを行った上で累計することで、累計視聴時間を算出する。
【００４５】
図５は、本変形例に係る累計視聴時間の算出方法について説明するための図である。例えば、図５（ａ）に示すように、ユーザは、１９：００から２０：００まで第１チャンネルで第１番組を視聴していたものとする。その後、ユーザは、第１番組の視聴を止め、第２番組を視聴するために、２０：５５に第１チャンネルにチャンネルを切り替えたとする。また、図５（ｂ）に示すように、番組の開始時刻から１５分毎に重みが定められているものとする。図５（ｃ）に示すように、累計視聴時間算出部１２は、図５（ａ）に示す１５分単位の視聴時間と図５（ｂ）に示す１５分単位の重みとを掛け合わせることにより、図５（ｃ）に示す１５分単位の重み付き視聴時間を算出する。例えば、１９：００から１９：１５分の間、ユーザは第１番組を視聴しているため、その間の視聴時間１５分に重み０．６を掛け合わせることで、重み付き視聴時間９分が算出される。累計視聴時間算出部１２は、図５（ｃ）に示す重み付き視聴時間を累計した値を、第１チャンネルにおいて放送される第１番組の累計視聴時間として算出する。つまり、図５（ｄ）に示すように、累計視聴時間が５１．５分として算出される。
【００４６】
実施の形態１の算出方法によると累計時間は６５分となり、第１閾値（６０分）以上であるため、第２チャンネルにチャンネルが切り替えられる。しかし、本変形例によると、累計視聴時間（５１．５分）は、第１閾値（６０分）であるため、チャンネルは切り替えられることなく、第２番組データが表示される。
【００４７】
このように、実施の形態１に示した番組表示装置１０によると、前半に第１番組を長時間視聴していたが、途中で第１番組の視聴を止め、再度、第２番組を視聴するために、ユーザが第１チャンネルにチャンネルを切り替えたような場合であっても、第１番組の累計視聴時間が第１閾値を超えてしまった場合には、イベントリレー後の第１番組データを表示するために、自動的にチャンネルが第２チャンネルに切り替えられてしまう。
【００４８】
しかし、本変形例によると、ユーザが第１番組を同じ時間視聴していたとしても、放送時間の前半よりも後半に第１番組を視聴していたユーザの方が、累計視聴時間が長くなる。よって、前半に第１番組を視聴していたが、途中で第１番組の視聴を止め、再度、第２番組を視聴するために、ユーザが第１チャンネルにチャンネルを切り替えたような場合に、ユーザの意図に反して、第２チャンネルにチャンネルが切り替えられてしまうのを防ぐことができる。
【００４９】
（実施の形態２）
実施の形態１では、累計視聴時間に基づいて、イベントリレー後の番組データを表示するか否かを決定した。実施の形態２では、累計視聴時間に加え、番組の盛り上がりの度合いを示す盛況度に基づいて、イベントリレー後の番組データを表示するか否かを決定する。
【００５０】
＜構成＞
実施の形態２に係る番組表示装置の外観図は、図１に示したものと同様である。図６は、実施の形態２に係る番組表示装置の機能的な構成を示すブロック図である。なお、以下の説明においても、図４に示したのと同じ番組が放送されるものとして説明を行う。
【００５１】
番組表示装置２０は、実施の形態１に係る番組表示装置１０と同様に、ユーザが視聴している番組の放送時間が延長され、その番組が他のチャンネルにイベントリレーされた際に、イベントリレー後の番組に係る番組データを自動的に表示する。つまり、番組表示装置２０は、ユーザが視聴している第１チャンネルにおいて放送される第１番組を、第１チャンネルでの放送終了後に第１チャンネルとは異なる第２チャンネルにおいて表示することができる。これにより、ユーザは、第１番組がイベントリレーされた場合であっても、ユーザによるチャンネルの切り替えを行うことなく、第１番組を視聴し続けることができる。
【００５２】
番組表示装置２０は、放送波受信部１１と、累計視聴時間算出部１２と、盛況度算出部２１と、条件判断部２２と、表示制御部２３と、表示部１５と、音声出力部１６とを備える。
【００５３】
放送波受信部１１と、累計視聴時間算出部１２と、表示部１５と、音声出力部１６とは、実施の形態１に示したもの同様である。このため、その詳細な説明はここでは繰り返さない。
【００５４】
盛況度算出部２１は、第１チャンネルにおける第１番組の放送終了時刻の所定時間前から第１番組の放送終了時刻までの時間である終了直前時間における、第１番組の盛り上がりの度合いを示す盛況度を算出する。
【００５５】
条件判断部２２は、累計視聴時間算出部１２が算出した第１番組の累計視聴時間が第１閾値以上であることを示す第１条件を満たすか否かを判断する。さらに、条件判断部２２は、盛況度算出部２１が算出した盛況度が第２閾値以上であることを示す第２条件を満たすか否かを判断する。
【００５６】
表示制御部２３は、第１条件及び第２条件を満たす場合には、第１チャンネルにおける第１番組の放送終了後に第２チャンネルにおいて放送される第１番組に係る番組データである第１番組データを表示する。また、表示制御部１４は、第１条件及び第２条件のいずれかを満たさない場合には、第１チャンネルにおいて第２番組データを表示する。
【００５７】
＜処理説明＞
次に、図６に示す番組表示装置２０が実行する処理について、具体例を挙げながら説明する。
【００５８】
図７は、番組表示装置２０が実行する処理のフローチャートである。
【００５９】
累計視聴時間算出部１２は、ユーザが視聴している番組の視聴時間を累計する（Ｓ１）。つまり、累計視聴時間算出部１２は、第１チャンネルの第１番組が表示制御部１４により表示されている時間を累計したものを、累計視聴時間として算出する。
【００６０】
累計視聴時間算出部１２は、視聴時間の累計を第１チャンネルの第１番組が終了するまで繰り返し行う（Ｓ２でＮＯ、Ｓ１）。
【００６１】
なお、上述の終了直前時間の間は、盛況度算出部２１が第１番組の盛況度を算出する（Ｓ１２）。具体的には、盛況度算出部２１は、終了直前時間における第１番組データに含まれる音声データの音量が大きいほどより大きな盛況度を算出する。図８は、第１番組データに含まれる音声データの音量の時間的な推移の一例を示すグラフであり、横軸が時間を示し、縦軸が音声データの音量を示す。第１番組の終了直前時間を２０：４５から２１：００の間とした場合に、例えば、盛況度算出部２１は、この間の音声データの音量の平均を算出する。盛況度算出部２１は、算出した音量の平均に、予め定められた係数を掛け合わせることにより、第１チャンネルにおける第１番組の盛況度を算出する。なお、盛況度の算出方法は、一例であり、盛況度が番組の盛り上がりを示すことができるのであれば、他の算出方法により算出されても良い。例えば、番組データに含まれる映像データから、終了直前時間における番組のハイライトシーンを検出し、検出したハイライトシーンの数が多いほどより値が大きくなるように盛況度を算出しても良い。
【００６２】
第１チャンネルにおける第１番組の放送が終了した時点で（Ｓ２でＹＥＳ）、条件判断部１３は、第１チャンネルにおける第１番組の累計視聴時間が第１閾値以上であり、かつ、第１チャンネルにおける第１番組の盛況度が第２閾値以上であるか否かを判断する（Ｓ１３）。第２閾値は、予め定められた値である。
【００６３】
第１チャンネルにおける第１番組の累計視聴時間が第１閾値以上であり、かつ、第１チャンネルにおける第１番組の盛況度が第２閾値以上であると判断された場合には（Ｓ１３でＹＥＳ）、表示制御部１４は、放送波受信部１１が受信する放送波のチャンネルを第１チャンネルから第２チャンネルに切り替え、第２チャンネルで放送される第１番組に係る第１番組データを表示する（Ｓ４）。これにより、ユーザは、イベントリレーされた第１番組を、引き続き第２チャンネルにおいて視聴することができる。
【００６４】
これに対し、第１チャンネルにおける第１番組の累計視聴時間が第１閾値以上であり、かつ、第１チャンネルにおける第１番組の盛況度が第２閾値以上であると判断されなかった場合、つまり、第１チャンネルにおける第１番組の累計視聴時間が第１閾値未満であると判断された場合、または、第１チャンネルにおける第１番組の盛況度が第２閾値未満であると判断された場合には（Ｓ１３でＮＯ）、表示制御部１４は、放送波受信部１１が受信する放送波のチャンネルを切り替えることなく、第１チャンネルで放送される第２番組に係る第２番組データを表示する（Ｓ５）。
【００６５】
＜効果＞
以上説明したように、実施の形態２に係る番組表示装置２０によると、以下の効果を奏する。野球中継番組などでは、例えば、９回など試合のクライマックス時にイベントリレーされる場合がある。このような試合の盛り上がり時、つまり第１番組の盛り上がり時には、ユーザは、第１チャンネルでの第１番組の放送終了後に続きを視聴する傾向が強いと考えられる。これに反し、第１番組が盛り上がっていない場合には、ユーザは続きを視聴しない傾向が強いと考えられる。このため、盛況度が第２閾値以上であることを示す第２条件を満たすか否かにより、第２チャンネルの第１番組データを表示するか否かを判断することで、ユーザの意図に反して、第２チャンネルにチャンネルが切り替えられてしまうのを防ぐことができる。
【００６６】
また、スポーツ中継番組などでは、試合が盛り上がっている場合には、観客の声援が大きいと考えられる。観客の声援が大きいと、番組データに含まれる音声データの音量が大きくなる。このため、音声データの音量から盛況度を算出することにより、番組の盛り上がりを正しく判断することができる。
【００６７】
以上、本発明に係る番組表示装置の実施の形態を説明したが、本発明は、この実施の形態に限定されるものではない。
【００６８】
例えば、実施の形態１では、累計視聴時間算出部１２が算出した第１番組の累計視聴時間が第１閾値以上であることを示す第１条件の判断結果に基づいて、イベントリレー後の番組データを表示するか否かを決定したが、第１条件の判断結果に加え、番組のジャンルに基づいて、イベントリレー後の番組データを表示するか否かを決定しても良い。つまり、図２に示した番組表示装置１０は、さらに、嗜好判断部を備えていても良い。この嗜好判断部は、ユーザの番組の嗜好性を示す嗜好データに基づいて、第１番組及び第２番組のユーザの嗜好性を判断する。表示制御部１４は、第１条件を満たす場合には、嗜好判断部の判断結果に基づいて第１番組及び第２番組のうちユーザの嗜好性が高い番組を選択し、第１番組が選択された場合には、第２チャンネルにおいて第１番組データを表示し、第２番組が選択された場合には、第１チャンネルにおいて第２番組データを表示する。ユーザが、第１チャンネルにおいて第１番組を長時間視聴していたとしても、第１チャンネルにおいて第１番組の終了後に放送される第２番組の方が、第１番組よりもユーザの嗜好性が高い場合には、ユーザは、イベントリレーされた番組の視聴を望まないと考えられる。このため、ユーザの番組に対する嗜好性に基づいてイベントリレーされた番組に係る番組データを表示するか否かを判断することで、ユーザの意図に反して、第２チャンネルにチャンネルが切り替えられてしまうのを防ぐことができる。
【００６９】
なお、嗜好データは、ユーザにより予め登録された、番組のジャンル毎の優先度を示すデータを含んでいても良い。表示制御部１４は、嗜好データに基づいて、第１番組及び第２番組のうち優先度が相対的に高いジャンルの番組をユーザの嗜好性が高い番組として選択しても良い。例えば、ニュースよりもスポーツの優先度が高い場合には、第１番組が選択され、スポーツよりもニュースの優先度が高い場合には、第２番組が選択される。番組データは、ジャンル情報を付属情報として含んでいる。このため、番組のジャンルの優先度を嗜好データとして用いることで、容易に番組に対するユーザの嗜好性を判断することができ、ユーザの嗜好性に合致した番組を選択することができる。
【００７０】
また、嗜好データ（番組のジャンルの優先度）はユーザが登録するのではなく、自動的に決定しても良い。例えば、番組表示装置１０は、ジャンルごとに、当該ジャンルの番組のユーザによる累計視聴時間を算出し、累計視聴時間が大きいジャンルほどより優先度が高い嗜好データを生成しても良い。つまり、過去にユーザが良く視聴している番組のジャンルほど優先度が高くなるように嗜好データが生成される。このため、ユーザがジャンルの優先度を登録しなくても、過去のユーザの番組視聴履歴に応じて、ユーザの嗜好性に合致した番組を選択することができる。
【００７１】
また、ユーザの嗜好性により、番組を選択する手法については、番組の視聴のみならず、番組の予約にも適用することができる。
【００７２】
また、上述の実施の形態における第１チャンネル及び第２チャンネルは、放送局の異なるチャンネル同士で良いし、同一の放送局に複数のチャンネルが割り当てられている場合には、該複数のチャンネルに含まれるチャンネル同士であっても良い。また、通常は同じ放送局から同じ番組が放送され、イベントリレー時などのときにのみ異なる番組が放送されるメインチャンネル及びサブチャンネルの関係にあるチャンネル同士であってもよい。
【００７３】
また、イベントリレー先の番組（第２チャンネルの第１番組）は、イベントリレー元の番組（第１チャンネルの第１番組）の放送終了直後に放送されていなくても良い。つまり、２つの番組の間に、天気予報やニュースなどの他の番組が放送されていても良い。
【００７４】
また、番組の視聴中にユーザが番組表示装置１０の電源をＯＦＦにした場合には、その番組についての累計視聴時間を０にリセットしても良い。一端電源をＯＦＦしたのは、その番組に対するユーザの興味がなくなったと判断することができるからである。
【００７５】
また、上記の番組表示装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【００７６】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【００７７】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【００７８】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【００７９】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなどに記録したものとしても良い。また、これらの非一時的な記録媒体に記録されている上記デジタル信号であるとしても良い。
【００８０】
また、本発明は、上記コンピュータプログラムまたは上記デジタル信号を、電気通信回線、無線または有線通信回線、インターネットを代表とするネットワーク、データ放送等を経由して伝送するものとしても良い。
【００８１】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【００８２】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【００８３】
さらに、上記実施の形態及び上記変形例をそれぞれ組み合わせるとしても良い。
【００８４】
本発明に係る番組表示装置の必須の構成要素は、累計視聴時間算出部と、条件判断部と、表示制御部とである。それ以外の構成要素については、番組表示装置に備えられているのが望ましいが、必ずしも備えられていなくても良い。
【産業上の利用可能性】
【００８５】
本発明は番組表示装置として、例えば、テレビ放送を表示するテレビジョン受像機などに適用できる。
【符号の説明】
【００８６】
１０、２０  番組表示装置
１１  放送波受信部
１２  累計視聴時間算出部
１３、２２  条件判断部
１４、２３  表示制御部
１５  表示部
１６  音声出力部
２１  盛況度算出部
【図１】
2014204228.tif 000003
【図２】
2014204228.tif 000004
【図３】
2014204228.tif 000005
【図４】
2014204228.tif 000006
【図５】
2014204228.tif 000007
【図６】
2014204228.tif 000008
【図７】
2014204228.tif 000009
【図８】
2014204228.tif 000010